(57)【要約】【課題】生花と盛篭が一体となった慶弔用供花であって、生花が傷んだ後は、生花を廃棄処理し、生花の部分に造花による花輪を取り付けることで長期間祭壇脇にかざることができ、また、弔電も一体として掲示することのできる慶弔用供花を提供する。【解決手段】上篭と下篭の二段からなり、上篭は、生花が生けられるバケツ状容器の上に供物や造花花輪が取り付けられる枠体が形成されており、下篭は、供物の収容部と装飾材の取付部と弔電の掲示部を有した構成とする。【選択図】図１
0003137969.tif 000002
【実用新案登録請求の範囲】
【請求項１】
上篭と下篭を備えた二段の葬儀用供花であって、上篭は、バケツ状容器と枠体とを備え、該枠体中央部に供物が取り付けられるとともにバケツ状容器内に生花が生けられ、下篭は、供物を収容する供物収容部と、造花等の装飾材を取り付ける装飾材取付部と、弔電を掲示する掲示部とを備え、供物収容部に供物が収容されるとともに装飾材取付部に造花等の装飾材が取り付けられ、さらに掲示部に弔電が掲示された構成としたことを特徴とする慶弔用供花。
【請求項２】
前記慶弔用供花は、造花による花輪を備えており、傷んだ生花を廃棄処理した後の上篭の供物の周囲の枠体部分に、造花による花輪を取り付けたことを特徴とする請求項１記載の慶弔用花輪。
【請求項３】
前記慶弔用花輪において、バケツ状容器は、内部に略円筒形の支持枠体を有し、該支持枠体に筒状チューブが底面から所定空間を空けて取り付けられ、該筒状チューブ内にはピンポン球が収容された構成とし、バケツ状容器を動かすだけで、バケツ状容器内の水がなくなったかどうかを、ピンポン球がバケツ状容器の底面を移動する際に発する音により判別可能としたことを特徴とする請求項１又は２記載の慶弔用供花。
【考案の詳細な説明】
【技術分野】
【０００１】
本考案は、慶弔時に葬儀場や火葬場、又は自宅において使用される葬儀用供花に関するものであり、特に供物と一体となった葬儀用供花に関するものである。
【背景技術】
【０００２】
従来、慶弔時には多くの花環と共に、菓子や果物、又は缶詰等が盛り付けられた盛篭が供物として供えられている。このような花環としては、バケツ状容器内に生花を生け、これを４本の支柱により形成した花台上に一段又は二段に載置したものや、足台上に円形の花止基材を形成し、これに造花を取り付けたもの等が知られている。また、最近では、円形の花止基材の中央部に盛皿部を設け、菓子や果物を盛った盛皿をこの盛皿部に取り付け、その周囲に造花を取り付けた盛篭と花環が一体となったものも提案されている。
【０００３】
しかしながら、生花を用いた花環は傷みやすく、地域によっては三十五日法要や四十九日法要が終わるまで祭壇脇に花環や供物等を飾る風習もあり、このような場合は生花が傷んだ後は生花を廃棄するしかなかった。また、造花による花環は、長期間祭壇脇に飾ることができるが、生花と較べて華やかさの点で劣り、また葬儀時に参列者に生花を配るということもできないという問題があった。
【０００４】
また、前述のように、花環と盛篭が一体となったものはあるが、これに贈り主からの弔電をセットしたようなものはこれまでにはなかった。
【特許文献１】特開２０００−１４５３１号公報
【考案の開示】
【考案が解決しようとする課題】
【０００５】
そこで、本考案が解決しようとする課題は、花環と盛篭とさらには弔電が一体となった供花を提供するとともに、当初は生花が生けられるが、葬儀時に生花を参列者に配った後や生花が傷んで廃棄処理した後は、この生花の部分を造花による装飾に容易に変更することのできる慶弔用供花を提供することである。
【課題を解決するための手段】
【０００６】
本考案は、上篭と下篭を備えた二段の葬儀用供花であって、上篭は、バケツ状容器と枠体とを備え、該枠体中央部に供物が取り付けられるとともにバケツ状容器内に生花が生けられ、下篭は、供物を収容する供物収容部と、造花等の装飾材を取り付ける装飾材取付部と、弔電を掲示する掲示部とを備え、供物収容部に供物が収容されるとともに装飾材取付部に造花等の装飾材が取り付けられ、さらに掲示部に弔電が掲示された構成としたことを特徴とする。
【０００７】
また、前記慶弔用供花は、造花による花輪を備えており、傷んだ生花を廃棄処理した後の上篭の供物の周囲の枠体部分に、造花による花輪と取り付けたことを特徴とする。
【０００８】
さらに、前記慶弔用花輪において、バケツ状容器は、内部に略円筒形の支持枠体を有し、該支持枠体に筒状チューブが底面から所定空間を空けて取り付けられ、該筒状チューブ内にはピンポン球が収容された構成とし、バケツ状容器を動かすだけで、バケツ状容器内の水がなくなったかどうかを、ピンポン球がバケツ状容器の底面を移動する際に発する音により判別可能としたことを特徴とする。
【考案の効果】
【０００９】
本考案の慶弔用供花によれば、生花と盛篭が一体となった供花を提供することができるとともに、生花が傷んだ後は、造花を容易に取り付けて装飾することで、長期間祭壇脇に供物を飾ることが可能である。さらに本考案の慶弔用供花は、上段と下段の二段になっているため、種々の供物を供えることが可能である。
【００１０】
尚、本考案においては、生花を生けるバケツ状容器内に筒状チューブを設け、該筒状チューブ内にピンポン球が収容されているため、バケツ状容器内の水がなくなった場合にはバケツ状容器を少し動かすだけでピンポン球が前記バケツ状容器の底部を移動し、その際に音が鳴ることで容器内に水がないことを知らせるため、水のない状態で生花の廃棄処理や造花による花輪への装飾の変更を容易にすることが可能となる。
【００１１】
また、本考案の慶弔用供花は、生花又は造花と盛篭が一体となっているほか、弔電も一体として掲示することができるため、故人へのメッセージを供花と一体として供えることが可能となる。
【考案を実施するための最良の形態】
【００１２】
以下、本考案の一実施形態を、図面を参照して詳細に説明する。図１は、本考案の生花を使用した慶弔用供花を示す正面図である。図２、は生花が傷んだ後に生花の部分に造花を装飾した慶弔用供花を示す正面図である。図３は、本考案の慶弔用供花の生花や造花等の装飾をしていない状態の枠体部分を示す正面図である。
【００１３】
図１〜３に示すように、本考案の慶弔用供花は、上段部と下段部の二段で構成される。図１に示す慶弔用供花は、上段部に生花９が生けられ、その中央部に盛皿に盛られた供物５が取り付けられるとともに、前面に名札１０が掲示されて構成される。下段部は、中央部に供物８が取り付けられ、その周囲が造花等の装飾材１１で装飾されるとともに、前面には弔電１２が掲示されて構成される。  
【００１４】
図２に示す慶弔用供花は、図１の慶弔用供花において生花が傷んだ後に、生花９を廃棄し、その部分に造花花輪１３を取り付けて構成されたものである。
【００１５】
図３は、支持スタンド３に上籠１と下篭２を載置した状態を示す正面図である。支持スタンド３は、図８に示すように、篭の台座部分となる上篭載置部２３及び下篭載置部２４を有しており、    ４本の金属製支柱を脚部とし、該支柱の互いに対抗する支柱間の所定位置に支持棒を架設し、該支持棒が交差するように支柱を組み立てて構成されている。
【００１６】
図４は上篭１の基材部を示した図であり、図５は前記基材部を構成するバケツ容器部分を示す図である。上篭１の基材部は、バケツ状容器６上に枠体４が取り付けられて構成される。該枠体４は、脚部１９上に金属製棒を円形状に折曲加工して花止め部２０が形成され、その中央部が供物取付部２１となる。該枠体４は、脚部１９がバケツ状容器６内に取り付けられた支持枠１４に針金等で固定される。
【００１７】
図５は、バケツ状容器６部分を示す図であり、バケツ状容器６内には円形状の上面と下面を支柱で固定して形成される支持枠１４が収容され、支持枠１４の上面中央部には、樹脂製の円筒チューブ１５がバケツ状容器の底部と中空を設けるように付設される。尚、前述のとおり、支持枠１４は、枠体４の脚部１９を固定するとともに、生花を生ける際に生花を挿し込むために使用されるものである。
【００１８】
図６は、バケツ状容器６内に水２２が入っている状態を示した断面図であり、円筒チューブ１５内にはピンポン球１６が収容されている。該ピンポン球１６は、水２２がなくなった場合にはバケツ状容器の底面に落ちるため、バケツ状容器６を軽く動かすだけでピンポン球１６が底面を移動することによって音が鳴るため、バケツ状容器内の水がないことがすぐわかる構成となっている。上篭を生花から造花による装飾に変更する際には、生花をバケツ状容器６から抜き出す作業を必要とするが、このとき、バケツ状容器内に水があれば、床が汚れたり、作業に手間がかかる等の問題が生じてしまう。したがって、生花の廃棄作業にはバケツ状容器６内に水がないことが好ましいが、前述のように、バケツ状容器６内を円筒チューブ１５とピンポン球１６とを使用した構成とすることで、バケツ状容器６内に水がないことをすぐに判別することができ、よって生花の廃棄作業も容易にすることができる。
【００１９】
図７は、下篭２を示した図であり、該下篭２は、針金や金属棒を折曲加工して装飾材取付部２５と供物収容部２６とを有する下篭枠体７から構成される。前記供物収容部２６内には缶詰等の供物８が収納されて、下篭枠体７の全面がビニール１８によって被覆される。また、下篭枠体７には、同様に針金や金属棒を折曲加工して形成された弔電台１７が取り付けられ、弔電１２が該弔電台１７上に載置される。また、装飾取付部２５には造花が取り付けられて装飾がなされる。
【００２０】
上述のように構成された上篭１及び下篭２は、それぞれ支持スタンド３の上篭載置部２３と下篭載置部２４上に載置されて本考案の慶弔用供花が構成される。
【００２１】
本考案の慶弔用供花は、当初、上篭１に生花９が生けられるが、生花が傷んだ場合に廃棄処理された場合や、葬儀時に参列者に配られて生花がなくなった場合は、上篭枠体４の花止め部２０に予め製作されている造花花輪１３を取り付けることで、生花がなくなった後も本考案の慶弔用供花を長期間祭壇脇等に飾ることが可能となる。尚、生花を廃棄処理する際は、バケツ状容器６を少し動かすだけで、ピンポン球の動きによる音の発生により、バケツ状容器６内に水があるかをすぐに判別でき、生花の廃棄作業時期を知ることができる。
【図面の簡単な説明】
【００２２】
【図１】上篭に生花を装飾した本発明の一実施形態を示す正面図である。
【図２】上篭に造花を装飾した本発明の一実施形態を示す正面図である。
【図３】支持スタンドに上籠と下篭を載置した状態を示す正面図である。
【図４】本考案の葬儀用盛篭の上篭の基材部を示した正面図である。
【図５】図１におけるバケツ状容器を示した正面図である。
【図６】図２のバケツ状容器内に水が入っている状態を示した断面図である。
【図７】本考案の葬儀用盛篭の下篭を示した概略斜視図である。
【図８】本考案の支持スタンドを示す斜視図である。
【符号の説明】
【００２３】
１    上篭
２    下篭
３    支持スタンド
４    上篭枠体
５    供物
６    バケツ状容器
７    下篭枠体
８    供物
９    生花
１０    名札
１１    装飾材
１２    弔電
１３    造花花輪
１４    支持枠
１５    筒状チューブ
１６    ピンポン球
１７    弔電台
１８    透明シート
１９    脚部
２０    花止め部
２１    供物取付部
２２    水
２３    上篭載置部
２４    下篭載置部
２５    装飾材取付部
２６    供物収容部
【図１】
0003137969.tif 000003
【図２】
0003137969.tif 000004
【図３】
0003137969.tif 000005
【図４】
0003137969.tif 000006
【図５】
0003137969.tif 000007
【図６】
0003137969.tif 000008
【図７】
0003137969.tif 000009
【図８】
0003137969.tif 000010